(57)【要約】【課題】防水機能を果たすクッションが吸水することがなく、可動パネルを開くときに、機器本体内部への水の侵入が防止される開閉パネル機構における防水構造を提供する。【解決手段】機器本体内部に通じる開口４ｄを有し機器本体に固定される固定パネル４と、前記固定パネル４に回動自在に支持され前記開口４ｄを開閉する可動パネル２Ａとで構成される開閉パネル機構における前記開口４ｄを防水する防水構造において、前記可動パネル２Ａの固定パネル４と対向する面に前記開口４ｄ周囲を覆う板状クッション３と前記板状クッション３の周囲面に接触し前記板状クッション３の上面より高い第１のリブ２ａを設け、固定パネル４の可動パネル２ａと対向する面に前記開口４ｄを囲み可動パネル２Ａが閉じられた状態で前記板状クッション３に食い込む第２のリブ４ａを設けた。【選択図】図１
2010109216.tif 000002
【特許請求の範囲】
【請求項１】
機器本体内部に通じる開口を有し機器本体に固定される固定パネルと、前記固定パネルに回動自在に支持され前記開口を開閉する可動パネルとで構成される開閉パネル機構における前記開口を防水する防水構造において、前記可動パネルと固定パネルとの対向する一方の面に前記開口周囲を覆う板状クッションと前記板状クッションの周囲面に近接または接触し前記板状クッションの上面より高い第１のリブを設け、前記可動パネルと固定パネルとの対向する他方の面に前記開口を囲み可動パネルが閉じられた状態で前記板状クッションに食い込む第２のリブを設けたことを特徴とする開閉パネル機構における防水構造。
【請求項２】
前記可動パネルと固定パネルとの対向する他方の面に可動パネルが閉じられた状態で前記第１のリブが入り込む溝を設けた請求項１の開閉パネル機構における防水構造。
【発明の詳細な説明】
【技術分野】
【０００１】
この発明は電子機器に係わり、特に、その開閉パネル機構における防水構造に関する。
【背景技術】
【０００２】
従来からモータボート等の水飛沫がかかる位置に載置される音響機器などの開閉パネル機構には防水構造が採用されている。図５により特開２００６−２１６１３３号公報に開示されたそのような開閉パネル機構における防水構造を説明する。
【０００３】
図に示す固定パネルＢは機器本体に固定されており、可動パネルＡを回動自在にな支持している。固定パネルＢには機器本体の記録媒体挿脱口Ｅを露出する開口が設けられており、開口の周囲にループ状のパッキンＣが貼着されている。
【０００４】
可動パネルＡは図５に示す開いた状態から固定パネルＢの前面を覆う閉じた状態に回動されてロックされるが、そのときパッキンＣに圧接されるループ状のリブＤが設けられている。パッキンＣとリブＤが圧接されることで防水機能が得られ記録媒体挿脱口Ｅから機器本体内部への水の侵入が防止される。
【０００５】
上記した特開２００６−２１６１３３号公報に開示された開閉パネル機構では、可動パネルＡが閉じられた状態で可動パネルＡと固定パネルＢの間にかかる水飛沫はパッキンＣとリブＤの外側の隙間に溜まる。そのため、パッキンＣが吸水して防水性が劣化するという問題があった。
【０００６】
また、パッキンＣとリブＤの外側の隙間に溜った水は、可動パネルＡを開くときに機器本体内部に侵入するという問題もあった。
【特許文献１】特開２００６−２１６１３３号公報、段落００１０〜段落００１３、図１
【発明の開示】
【発明が解決しようとする課題】
【０００７】
この発明は上記した点に鑑みてなされたものであって、その目的とするところは、クッションとリブの圧接により防水機能が得られる開閉パネル機構における防水構造において、クッションが吸水することがなく、可動パネルを開くときに、機器本体内部への水の侵入が防止される開閉パネル機構における防水構造を提供することにある。
【課題を解決するための手段】
【０００８】
この発明の開閉パネル機構における防水構造は、機器本体内部に通じる開口を有し機器本体に固定される固定パネルと、前記固定パネルに回動自在に支持され前記開口を開閉する可動パネルとで構成される開閉パネル機構における前記開口を防水する防水構造において、前記可動パネルと固定パネルとの対向する一方の面に前記開口周囲を覆う板状クッションと前記板状クッションの周囲面に近接または接触し前記板状クッションの上面より高い第１のリブを設け、前記可動パネルと固定パネルとの対向する他方の面に前記開口を囲み可動パネルが閉じられた状態で前記板状クッションに食い込む第２のリブを設けたものである。
【０００９】
また、前記開閉パネル機構における防水構造において、前記可動パネルと固定パネルとの対向する他方の面に可動パネルが閉じられた状態で前記第１のリブが入り込む溝を設けたものである。
【発明の効果】
【００１０】
この発明の開閉パネル機構における防水構造によれば、防水機能を果たすクッションが吸水することがなく、可動パネルを開くときに、機器本体内部への水の侵入が防止される。
【発明を実施するための最良の形態】
【００１１】
以下この発明を実施するための最良の形態を実施例に即して説明する。図１はこの発明の実施例である開閉パネル機構における防水構造を示す斜視図、図２は同防水構造を示す断面図、図３は同防水構造のパネル開閉途中の状態を示すを示す断面図、図４は同防水構造の部分を示す正面図である。
【００１２】
図１に示す固定パネル４はねじ６により図示していな機器本体の前面に締着される。固定パネル４には機器本体の前面に設けられた記録媒体挿脱口を露出させる開口４ｄが設けられており、開口４ｄの周囲にループ状の第２のリブ４ａが形成され、第２のリブ４ａの周囲に溝４ｂが形成されている。また、固定パネル４の図１に示す下部には軸受４ｃが形成されている。
【００１３】
底板２は可動パネルカバー１に締着されて可動パネル２Ａを構成する。すなわち、底板２と可動パネルカバー１の間にはプリント基板やスイッチ等が収納されており、スイッチ等を操作するつまみは可動パネルカバー１の図１に示す下面から突出している。
【００１４】
底板２には板状クッション３が貼着されており、板状クッション３の周囲面に密接するようにループ状の第１のリブ２ａが底板２に一体に形成されている。第１のリブ２ａは板状クッション３の厚みより高い。なお、図１では第１のリブ２ａを一部切り欠いて示している。
【００１５】
底板２の図１での右上端には軸受２ｂが形成されている。軸受２ｂと軸受４ｃを挿通するシャフト５は可動パネル２Ａを回動自在に支持している。すなわち、可動パネル２Ａは図１に示す開いた状態から固定パネル４の前面を覆う閉じた状態に回動されてロックされる。
【００１６】
図２に可動パネル２Ａが閉じられた状態を示している。このとき、固定パネル４の第２のリブ４ａは板状クッション３に食い込むように圧接されている。なお、図２では板状クッション３の自然状態を実線で示している。リブ４ａと板状クッション３との圧接により開口４ｄ周囲の防水機能が得られる。
【００１７】
可動パネル２Ａが閉じられた状態で板状クッション３周囲の第１のリブ２ａは固定パネル４の溝４ｂに入り込んでいる。その状態で第１のリブ２ａは溝４ｂから十分に離れている。そして、可動パネル２Ａが閉じられた状態で板状クッション３には第２のリブ４ａ以外のものが接触しないので板状クッション３が固定パネル４側に貼り付きにくい。
【００１８】
図４に示すように、底板２の第１のリブ２ａおよびその周囲の溝の上側の部分を傾斜させることにより、第１のリブ２ａの上側およびその周囲の溝に溜まる水は下側に流れる。そして、下側の第１のリブ２ａの周囲の溝に溜まった水は図３に示すように可動パネル２Ａを開くときに固定パネル４の外側に流れ落ちるので機器本体内部に水が流れ込むことはない。
【００１９】
また、板状クッション３の端面が第１のリブ２ａで囲まれているので使用者の操作により板状クッション３が剥がされることがない。板状クッション３の周囲に水が溜まらないので板状クッション３の防水性能が劣化することがない。さらに、板状クッション３は平板状に広いため、横ずれが発生せず、良好な防水性能が得られる。
【００２０】
実施例は以上のように構成されているが発明はこれに限られず、例えば、板状クッションを固定パネルに貼着し、板状クッションに圧接するリブを可動パネルに設ける構成としてもよい。
【図面の簡単な説明】
【００２１】
【図１】この発明の実施例である開閉パネル機構における防水構造を示す斜視図である。
【図２】同防水構造を示す断面図である。
【図３】同防水構造のパネル開閉途中の状態を示すを示す断面図である。
【図４】同防水構造の部分を示す正面図である。
【図５】従来の開閉パネル機構における防水構造を示す斜視図である。
【符号の説明】
【００２２】
１  可動パネルカバー
２  底板、２ａ  第１のリブ、２ｂ  軸受
２Ａ  可動パネル
３  板状クッション
４  固定パネル、４ａ  第２のリブ、４ｂ  溝、４ｃ  軸受、４ｄ  開口
５  シャフト
６  ねじ
Ａ  可動パネル
Ｂ  固定パネル
Ｃ  パッキン
Ｄ  リブ
Ｅ  記録媒体挿脱口
【図１】
2010109216.tif 000003
【図２】
2010109216.tif 000004
【図３】
2010109216.tif 000005
【図４】
2010109216.tif 000006
【図５】
2010109216.tif 000007